(57)【要約】      （修正有）【課題】着用者に強烈なインパクトをもった異様な風貌を与えつつ、デジタル機器に所望のデジタルデータを伝達できる頭部装着具を提供する。【解決手段】着用者２０の頭部全体に被せて装着する立方体状の箱型構造体からなる頭部装着具３００であって、箱型構造体は、上面、正面、背面、右面、左面の５面を有し、各面には、それぞれ顔面大のＱＲコード（登録商標）が印刷されている。ＱＲコードは、所望のＷｅｂページのＵＲＬを示すデジタルデータであり、観客が、スマートフォン５００の内蔵カメラ５１０を用いて、パフォーマンス中の着用者の頭部を撮影すれば、Ｗｅｂサーバ８０にアクセスすることができ、パフォーマンスに関連した広告ページをダウンロードできる。【選択図】図７
0003224806.tif 000002
【実用新案登録請求の範囲】
【請求項１】
着用者の頭部に装着可能な構造体からなり、顔面大のＱＲコード（登録商標）が形成されたコード形成面を有することを特徴とする頭部装着具。
【請求項２】
請求項１に記載の頭部装着具において、
コード形成面を有する本体部と、前記本体部を着用者の顔面に固定する固定具と、を備えることを特徴とする頭部装着具。
【請求項３】
請求項２に記載の頭部装着具において、
固定具が、一端が本体部に接続され他端が着用者の右耳に係合する右側固定具と、一端が本体部に接続され他端が着用者の左耳に係合する左側固定具と、を有することを特徴とする頭部装着具。
【請求項４】
請求項１に記載の頭部装着具において、
着用者の頭部全体に被せて装着する構造体を有することを特徴とする頭部装着具。
【請求項５】
請求項４に記載の頭部装着具において、
ゴムもしくは繊維材料からなる覆面状の構造体を有することを特徴とする頭部装着具。
【請求項６】
請求項４に記載の頭部装着具において、
着用者の頭部全体に被せて装着する箱型構造体を有し、前記箱型構造体の外側表面の少なくとも一面は平面をなし、前記平面がコード形成面をなすことを特徴とする頭部装着具。
【請求項７】
請求項６に記載の頭部装着具において、
箱型構造体が、天板、前記天板に直交する正面板、前記正面板に対向する背面板、前記天板および前記正面板に直交する右面板、前記右面板に対向する左面板、という５枚の平板状部材を有する立方体もしくは直方体の箱によって構成され、これら５枚の平板状部材の少なくとも１枚の外側表面がコード形成面をなすことを特徴とする頭部装着具。
【請求項８】
請求項７に記載の頭部装着具において、
５枚の平板状部材の外側表面のそれぞれがコード形成面をなしており、合計５組のＱＲコード（登録商標）が配置されていることを特徴とする頭部装着具。
【請求項９】
請求項１〜８のいずれかに記載の頭部装着具において、
コード形成面に、黒領域と白領域とを混在させたＱＲコード（登録商標）が形成されており、
着用者が頭部に装着した状態で前記着用者の眼の近傍に位置する黒領域が眼近傍黒領域となっており、
前記眼近傍黒領域の全領域もしくは一部の領域は、覗き穴領域を形成しており、
前記覗き穴領域には、着用者の視界を確保するための開口部と、この開口部を塞ぐように張られた黒色網状部材と、が設けられていることを特徴とする頭部装着具。
【請求項１０】
請求項１〜９のいずれかに記載の頭部装着具において、
コード形成面に形成されたＱＲコード（登録商標）が、所定のＷｅｂページをアクセスするためのＵＲＬを示すコードであることを特徴とする頭部装着具。
【請求項１１】
請求項１０に記載の頭部装着具と、前記頭部装着具に形成されたＱＲコード（登録商標）が示すＵＲＬによってアクセスされるＷｅｂページを提供するＷｅｂサーバと、を備えることを特徴とするＷｅｂページ提供システム。
【考案の詳細な説明】
【技術分野】
【０００１】
本考案は、頭部装着具に関し、特に、着用者の顔面を含む頭部に装着して用いる面や覆面（マスク）などの頭部装着具に関する。
【背景技術】
【０００２】
面や覆面などの頭部装着具は、古くから様々なパフォーマンスを行うための小道具として利用されている。たとえば、伝統芸能である能は、能面を着用して演じることにより、幽玄な世界を醸し出すことに成功している。また、様々な地方の祭りでは、それぞれ固有の面を着用した舞踊が行われている。
【０００３】
面や覆面は、紙や合成樹脂などの比較的安価な材料によって製造可能であるため、広告媒体としても広く利用されている。たとえば、下記の特許文献１には、チラシやうちわとしても利用可能な面が開示されており、特許文献２には、一般的なうちわに、両眼用の覗き穴を設けることにより、お面としても利用できるようにする技術が開示されている。
【０００４】
一方、近年は、インターネットの普及に伴い、所定のＷｅｂページをアクセスするためのＵＲＬを示すＱＲコード（登録商標）を印刷した印刷物も広く利用されている。たとえば、下記の特許文献３には、名刺などの印刷物にＵＲＬを示すＱＲコード（登録商標）を印刷しておき、このＵＲＬを利用して、サーバから付加的な情報を入手する技術が開示されている。
【先行技術文献】
【特許文献】
【０００５】
【特許文献１】特開２０１２−５７５８号公報
【特許文献２】実開平２−２８６１８号公報
【特許文献３】特開２００６−８５６５８号公報
【考案の概要】
【考案が解決しようとする課題】
【０００６】
これまで用いられている一般的な面や覆面のデザインは、人間、動物、鬼などをモチーフとしたものが多く、大衆にとって既に陳腐化したデザインとなっている。このため、面や覆面を着用してパフォーマンスを行ったとしても、着用者の風貌だけでは、観客に対して強烈なインパクトを与えることができなくなっている。
【０００７】
また、最近は、スマートフォンやデジカメの普及により、様々なパフォーマンスを撮影する機会が増えてきているが、従来の面や覆面では、スマートフォンやデジカメなどのデジタル機器に対して、デジタルデータを伝達することはできないため、パフォーマンスに基づいて付加的な情報提示を行うことは困難であった。
【０００８】
そこで本考案は、着用者に強烈なインパクトをもった異様な風貌を与えつつ、デジタル機器に所望のデジタルデータを伝達することができる頭部装着具を提供することを目的とする。
【課題を解決するための手段】
【０００９】
(1)   本考案の第１の態様は、顔面大のＱＲコード（登録商標）が形成されたコード形成面を有し、着用者の頭部に装着可能な構造体によって、頭部装着具を構成したものである。
【００１０】
(2)   本考案の第２の態様は、上述した第１の態様に係る頭部装着具において、
コード形成面を有する本体部と、この本体部を着用者の顔面に固定する固定具と、を設けるようにしたものである。
【００１１】
(3)   本考案の第３の態様は、上述した第２の態様に係る頭部装着具において、
固定具が、一端が本体部に接続され他端が着用者の右耳に係合する右側固定具と、一端が本体部に接続され他端が着用者の左耳に係合する左側固定具と、を有するようにしたものである。
【００１２】
(4)   本考案の第４の態様は、上述した第１の態様に係る頭部装着具において、
着用者の頭部全体に被せて装着する構造体を有するようにしたものである。
【００１３】
(5)   本考案の第５の態様は、上述した第４の態様に係る頭部装着具において、
ゴムもしくは繊維材料からなる覆面状の構造体を有するようにしたものである。
【００１４】
(6)   本考案の第６の態様は、上述した第４の態様に係る頭部装着具において、
着用者の頭部全体に被せて装着する箱型構造体を有し、この箱型構造体の外側表面の少なくとも一面は平面をなし、当該平面がコード形成面をなすようにしたものである。
【００１５】
(7)   本考案の第７の態様は、上述した第６の態様に係る頭部装着具において、
箱型構造体を、天板、天板に直交する正面板、正面板に対向する背面板、天板および正面板に直交する右面板、右面板に対向する左面板、という５枚の平板状部材を有する立方体もしくは直方体の箱によって構成し、これら５枚の平板状部材の少なくとも１枚の外側表面がコード形成面をなすようにしたものである。
【００１６】
(8)   本考案の第８の態様は、上述した第７の態様に係る頭部装着具において、
５枚の平板状部材の外側表面のそれぞれがコード形成面をなしており、合計５組のＱＲコード（登録商標）が配置されているようにしたものである。
【００１７】
(9)   本考案の第９の態様は、上述した第１〜第８の態様に係る頭部装着具において、
コード形成面に、黒領域と白領域とを混在させたＱＲコード（登録商標）が形成されており、
着用者が頭部に装着した状態で着用者の眼の近傍に位置する黒領域が眼近傍黒領域となっており、
眼近傍黒領域の全領域もしくは一部の領域は、覗き穴領域を形成しており、
覗き穴領域には、着用者の視界を確保するための開口部と、この開口部を塞ぐように張られた黒色網状部材と、が設けられているようにしたものである。
【００１８】
(10)  本考案の第１０の態様は、上述した第１〜第９の態様に係る頭部装着具において、
コード形成面に形成されたＱＲコード（登録商標）が、所定のＷｅｂページをアクセスするためのＵＲＬを示すコードであるようにしたものである。
【００１９】
(11)  本考案の第１１の態様は、上述した第１０の態様に係る頭部装着具と、当該頭部装着具に形成されたＱＲコード（登録商標）が示すＵＲＬによってアクセスされるＷｅｂページを提供するＷｅｂサーバと、によって、Ｗｅｂページ提供システムを構成したものである。
【考案の効果】
【００２０】
本考案の頭部装着具は、顔面を含む頭部に装着して用いることができ、その表面には、顔面大のＱＲコード（登録商標）が形成されている。このため、着用者に対して、強烈なインパクトをもった異様な風貌を与えることができる。したがって、着用者が何らかのパフォーマンスを行うと、その異様な風貌ゆえに、観客の興味を強く誘引することができる。しかも、観客がこのパフォーマンスをスマートフォンなどのデジタル機器で撮影すると、表面に形成されている顔面大のＱＲコード（登録商標）によって、当該デジタル機器に所望のデジタルデータを伝達することができるので、当該デジタルデータを利用して、観客に付加的な情報を提示することが可能になる。
【００２１】
たとえば、ＱＲコード（登録商標）として、所定のＷｅｂページをアクセスするためのＵＲＬを示すコードを用いれば、当該ＱＲコード（登録商標）を撮影したスマートフォンなどに、所望のＷｅｂページを表示させることができ、広告の用途などに利用することが可能になる。
【００２２】
このように、本考案の頭部装着具によれば、着用者に強烈なインパクトをもった異様な風貌を与えつつ、デジタル機器に所望のデジタルデータを伝達することができるようになる。
【図面の簡単な説明】
【００２３】
【図１】本考案の第１の実施例に係る面型の頭部装着具１００の正面図である。
【図２】本考案の第２の実施例に係る覆面型の頭部装着具２００の正面図である。
【図３】図１に示す面型の頭部装着具１００を装着した状態を示す正面図である。
【図４】図１に示す面型の頭部装着具１００に設けられた眼近傍領域Ｂ２０の拡大平面図である。
【図５】本考案の第３の実施例に係る箱型の頭部装着具３００の斜視図である。
【図６】図５に示す箱型の頭部装着具３００の展開図である。
【図７】図５に示す箱型の頭部装着具３００を利用して構成したＷｅｂページ提供システムを示す正面図（上段）およびブロック図（下段）である。
【考案を実施するための形態】
【００２４】
以下、本考案を図示する実施形態に基づいて説明する。本考案に係る頭部装着具は、着用者の頭部に装着可能な構造体からなり、顔面大のＱＲコード（登録商標）が形成されたコード形成面を有することを要件とするものである。以下、このような要件を備えた頭部装着具を、具体的な実施例に基づいて説明する。もっとも、本考案は、以下に述べる各実施例の具体的形態に限定されるものではなく、上記要件を備えたものであれば、この他にも様々な形態で実施可能である。
【００２５】
＜第１の実施例：面型＞
図１は、本考案の第１の実施例に係る頭部装着具１００の正面図である。この頭部装着具１００は、面型の実施例と言うべきものであり、本体部１１０と、固定具１２０，１３０と、を有している。本体部１１０は、紙や合成樹脂からなる板状の部材であり、その正面側はコード形成面１１１になっており、このコード形成面１１１には、顔面大のＱＲコード（登録商標）が印刷されている。
【００２６】
一般的なＱＲコード（登録商標）は、黒領域と白領域とを混在させた平面領域によって構成されている。ここに示す実施例でも、コード形成面１１１に、黒領域と白領域とを混在させた一般的なＱＲコード（登録商標）が形成されている。具体的には、図１に示す例の場合、コード形成面１１１上の領域Ｗ１０，Ｗ２０等は白領域であり、領域Ｂ１０，Ｂ２０，Ｂ３０等は黒領域である。
【００２７】
固定具１２０，１３０は、本体部１１０を着用者の顔面に固定する役割を果たす。図示の例の場合、２組の固定具１２０，１３０によって、本体部１１０が着用者の顔面に固定される。具体的には、右側固定具１２０は、一端が本体部１１０に接続され他端が着用者の右耳に係合する部材であり、左側固定具１３０は、一端が本体部１１０に接続され他端が着用者の左耳に係合する部材である（本願で言う左右は、正面から見た左右ではなく、着用者側から見た左右を指す）。固定具１２０，１３０は、たとえば、輪ゴムや紐などによって構成することができる。
【００２８】
本体部１１０は、多少の凹凸構造を有していてもよいが、できるだけ平坦面になるようにした方が好ましい。これは、装着状態であっても、顔面大のＱＲコード（登録商標）が歪まないようにし、後述するように、ＱＲコード（登録商標）の読み取りに支障が生じないようにするための配慮である。本体部１１０の裏面を着用者の顔面に当て、固定具１２０，１３０を着用者の耳に掛けた状態にすると、着用者の顔面の凹凸に応じて、本体部１１０に若干の撓みが生じることになる。この撓みが大きくなると、ＱＲコード（登録商標）の読み取りに支障が生じることになるので、本体部１１０の材質としては、できるだけ撓みの生じにくい素材を用いるのが好ましい。
【００２９】
＜第２の実施例：覆面型＞
図２は、本考案の第２の実施例に係る頭部装着具２００の正面図である。この頭部装着具２００は、覆面型の実施例と言うべきものであり、着用者の頭部全体に被せて装着する覆面状の構造体２１０によって構成されている。具体的には、ゴムもしくは繊維材料からなる覆面状の構造体によって頭部装着具２００を構成すればよい。この覆面状の構造体２１０は、全体的に着用者の頭部とほぼ同じサイズのドーム状の形態をなす。底部には、覆面開口部２２０が設けられているので、着用者は、この覆面開口部２２０から頭部全体を出し入れすることにより、この頭部装着具２００を着脱することができる。
【００３０】
覆面状の構造体２１０の正面部分は、コード形成面２１１になっており、このコード形成面２１１には、顔面大のＱＲコード（登録商標）が印刷されている。着用者が、図示の正面部分が顔面側になるようにして、この頭部装着具２００を頭から被って装着すれば、顔面にＱＲコード（登録商標）が形成された風貌になる。逆に、図示の正面部分が背面側になるようにして、この頭部装着具２００を頭から被って装着すれば、後頭部にＱＲコード（登録商標）が形成された風貌になる。
【００３１】
＜第１および第２の実施例の装着状態＞
図３は、着用者１０が、図１に示す面型の頭部装着具１００を頭部に装着した状態を示す正面図（固定具１２０，１３０の図示は省略）である。図２に示す覆面型の頭部装着具２００を装着した状態（図示は省略）もほぼ同様である。
【００３２】
頭部装着具１００，２００には、顔面大のＱＲコード（登録商標）が形成されているため、これを装着した着用者１０は、あたかも、ＱＲコード（登録商標）からなる顔面を有する奇怪な人間のように見える。すなわち、着用者１０に対して、非常に強力なインパクトをもった異様な風貌が与えられることになる。このため、着用者１０が踊りやダンスなどのパフォーマンスを行うと（特に、複数名の着用者１０が同時にパフォーマンスを行うと）、観客には、異様な雰囲気が伝わることになり、観客の興味を強く誘引することができる。
【００３３】
＜覗き穴の形成＞
なお、踊りやダンスなどのパフォーマンスを安全かつ確実に行うためには、頭部装着具１００，２００を装着した状態においても、着用者１０の視界が確保されるようにしておくのが好ましい。そのためには、頭部装着具１００，２００の一部（着用者１０が装着した状態で眼の近傍に位置する部分）に覗き穴を設けておけばよい。もっとも、頭部装着具１００，２００には、ＱＲコード（登録商標）が形成されているため、覗き穴によってＱＲコード（登録商標）のコード内容に影響が及ぶことがあってはならない。そこで、ここで述べる実施例では、次のような工夫を施すことにより、ＱＲコード（登録商標）に影響を及ぼさない覗き穴を実現している。
【００３４】
前述したとおり、一般的なＱＲコード（登録商標）は、黒領域と白領域とを混在させた平面領域によって構成されており、図１に示す例の場合、コード形成面１１１上の領域Ｗ１０，Ｗ２０等は白領域であり、領域Ｂ１０，Ｂ２０，Ｂ３０等は黒領域である。ここで、白領域と黒領域とは、通常、コード形成面１１１上に分散して配置されることになる。そこで、ここで述べる実施例では、覗き穴を、眼の近傍に位置する黒領域（ここでは、眼近傍黒領域と呼ぶ）に設けるようにする。
【００３５】
たとえば、図１に示す例の場合、黒領域Ｂ２０は着用者１０の右眼の近傍に位置し、黒領域Ｂ３０は着用者１０の左眼の近傍に位置することになる。そこで、これら黒領域Ｂ２０，Ｂ３０を眼近傍黒領域に設定し、この眼近傍黒領域内に覗き穴を設けるのである。図４は、図１に示す面型の頭部装着具１００に設けられた眼近傍領域Ｂ２０の拡大平面図である。この眼近傍領域Ｂ２０は、図示のとおり、３つの部分黒領域Ｂ２１，Ｂ２２，Ｂ２３によって構成されている。この例の場合、これら３つの部分黒領域のうち、領域Ｂ２１を覗き穴領域に設定し、この覗き穴領域Ｂ２１が覗き穴としての機能を果たせるような工夫を施している。
【００３６】
具体的には、覗き穴領域Ｂ２１を開口部とし、裏面側から、この開口部を塞ぐように黒色網状部材を張り付けている。図４において、覗き穴領域Ｂ２１を構成する領域内が網目状になっているのは、この部分に黒色網状部材が張り付けられていることを示すためである。たとえば、頭部装着具１００の本体部１１０が厚紙によって構成されている場合、覗き穴領域Ｂ２１を、その輪郭線に沿ってくり抜いて開口部を形成し、裏面側に、黒色網状部材を張り付ける加工を施せばよい。図において黒塗りで示されている部分黒領域Ｂ２２，Ｂ２３が、黒色インキが付着した印刷領域になるのに対して、覗き穴領域Ｂ２１は、開口部に黒色網状部材を張り付けた領域になる。
【００３７】
覗き穴領域Ｂ２１が、ちょうど着用者１０の眼に対応する位置にくるようにしておけば、着用者１０は、この覗き穴領域Ｂ２１に張り付けられた黒色網状部材を通して、外部を覗き見ることができる。その一方で、外部からコード形成面１１１を観察した場合、覗き穴領域Ｂ２１は、黒色網状部材の存在により、部分黒領域Ｂ２２，Ｂ２３と同様に暗い領域（黒領域）として認識されるので、領域Ｂ２０が全体として黒領域として認識されることに変わりはない。結局、コード形成面１１１内に覗き穴領域Ｂ２１を設けているにもかかわらず、ＱＲコード（登録商標）のコード自体には何ら影響は及ばないことになる。
【００３８】
なお、図４に示す例では、眼近傍黒領域Ｂ２０のうち、部分黒領域Ｂ２１のみを覗き穴領域に設定しているが、もちろん、複数の部分黒領域（たとえば、部分黒領域Ｂ２１，Ｂ２２）を覗き穴領域に設定してもかまわない。あるいは、眼近傍黒領域Ｂ２０全体（３つの部分黒領域Ｂ２１〜Ｂ２３のすべて）を覗き穴領域に設定してもかまわない。また、眼近傍黒領域Ｂ２０は、着用者１０の右眼についての覗き穴を形成する領域であるが、着用者１０の左眼については、図１に示す眼近傍黒領域Ｂ３０内の所定の領域に覗き穴領域を形成すればよい。
【００３９】
要するに、覗き穴を形成するには、着用者１０が頭部に装着した状態で当該着用者１０の眼（右眼でも左眼でもよい）の近傍に位置する黒領域を眼近傍黒領域として、この眼近傍黒領域の全領域もしくは一部の領域によって、覗き穴領域を形成すればよい。そして、この覗き穴領域には、着用者１０の視界を確保するための開口部と、この開口部を塞ぐように張られた黒色網状部材と、を設けるようにすればよい。
【００４０】
＜第３の実施例：箱型＞
図５は、本考案の第３の実施例に係る頭部装着具３００の正面図である。この頭部装着具３００は、箱型の実施例と言うべきものであり、着用者の頭部全体に被せて装着する箱型構造体によって構成されている。実用上は、このような箱型構造体の外側表面の少なくとも一面が平面をなし、当該平面がコード形成面をなすようにするのが好ましい。これは、コード形成面が平面であれば、その上に形成されたＱＲコード（登録商標）に歪みが生じることがないので、ＱＲコード（登録商標）の読み取りに支障が生じにくいためである。
【００４１】
図５に示す頭部装着具３００は、着用者の頭部とほぼ同じサイズの立方体形状をなす。具体的には、頭部装着具３００は、図示のとおり、天板３１０、正面板３２０、背面板３３０（図には現れていない）、右面板３４０（図には現れていない）、左面板３５０という５枚の平板状部材（たとえば、厚紙や段ボール）によって構成されており、底面は開口下部３６０を形成している。着用者は、この開口下部３６０から頭部全体を出し入れすることにより、この頭部装着具３００を着脱することができる。
【００４２】
本考案の作用効果を得るためには、これら５枚の平板状部材の少なくとも１枚の外側表面をコード形成面として、このコード形成面に顔面大のＱＲコード（登録商標）を形成しておけばよい。たとえば、正面板３２０のみをコード形成面とすれば、本考案の作用効果を得ることができる。また、頭部装着具３００の形状は、必ずしも立方体とする必要はなく、直方体形状としても構わない。このような観点では、箱型構造体を、天板３１０、天板３１０に直交する正面板３２０、正面板３２０に対向する背面板３３０、天板３１０および正面板３２０に直交する右面板３４０、右面板３４０に対向する左面板３５０、という５枚の平板状部材を有する立方体もしくは直方体の箱によって構成するようにし、これら５枚の平板状部材の少なくとも１枚の外側表面をコード形成面とすればよい。
【００４３】
ただ、実用上は、５枚の平板状部材３１０〜３５０の外側表面のそれぞれをコード形成面とし、合計５組の顔面大のＱＲコード（登録商標）を配置するのが好ましい。図６は、図５に示す箱型の頭部装着具３００の展開図である。この展開図を見れば、５枚の平板状部材３１０〜３５０のそれぞれに、ＱＲコード（登録商標）が印刷されていることがわかる。なお、図示の例の場合、５組のＱＲコード（登録商標）はすべて同一のコードになっているが、それぞれ別のＱＲコード（登録商標）を配置するようにしてもかまわない。一般に、ＱＲコード（登録商標）は、上下左右の配置を入れ替えても、常に同一のデジタル情報を示す性質を有しているため、各面に印刷するＱＲコード（登録商標）の向きは任意でかまわない。実用上は、図４で述べたような工夫を施すことにより、適切な箇所（たとえば、正面板３２０の目近傍黒領域）に、ＱＲコード（登録商標）に影響を及ぼさない覗き穴を設けておくのが好ましい。
【００４４】
このように合計５組のＱＲコード（登録商標）を設けておけば、この頭部装着具３００を装着したときに、すべての面に顔面大のＱＲコード（登録商標）が提示された状態になるため、着用者１０に対して、より強力なインパクトをもった異様な風貌を与えることができる。また、着用者１０をどの方向から観察してもＱＲコード（登録商標）を確認することができるため、どの方向からでもＱＲコード（登録商標）の読み取りが可能になる。
【００４５】
図１に示す面型の頭部装着具１００や図２に示す覆面型の頭部装着具２００の場合、頭部に装着すると、顔面の凹凸の影響を受け、コード形成面１１１，２１１が平面を維持できなくなる可能性があり、ＱＲコード（登録商標）の歪みによって、正しい読み取りが阻害されるおそれがある。これに対して、図５に示す箱型の頭部装着具３００の場合、頭部に装着しても、各平板状部材（コード形成面）は平面を維持できるため、ＱＲコード（登録商標）に歪みが生じることがなく、正しい読み取りが可能になるというメリットが得られる。また、上述したように、どの方向からでもＱＲコード（登録商標）の読み取りが可能になるというメリットも得られる。したがって、図５に示す箱型の頭部装着具３００は、本考案の最適な実施例と言える。
【００４６】
＜Ｗｅｂページ提供システム＞
図７は、図５に示す箱型の頭部装着具３００を利用して構成したＷｅｂページ提供システムを示す正面図（上段）およびブロック図（下段）である。本考案に係る頭部装着具は、顔面大のＱＲコード（登録商標）によって、デジタル機器に任意のデジタルデータを伝達することができる。特に、伝達すべきデジタルデータとして、所定のＷｅｂページをアクセスするためのＵＲＬを示すデータを用いると、デジタル機器にＷｅｂページの情報を提示させることができるので、広告などの用途には利用価値が高い。ここでは、そのような用途を想定したＷｅｂページ提供システムの構成を説明する。
【００４７】
本考案に係るＷｅｂページ提供システムは、これまで述べてきた頭部装着具と、Ｗｅｂサーバと、によって構成される。図７に示すＷｅｂページ提供システム１０００の構成要素は、図５に示す頭部装着具３００とＷｅｂサーバ８０である（スマートフォン５００は、説明の便宜のために図示したものであり、Ｗｅｂページ提供システム１０００の構成要素ではない）。ここで、頭部装着具３００のコード形成面に形成されたＱＲコード（登録商標）は、所定のＷｅｂページをアクセスするためのＵＲＬを示すコードになっており、Ｗｅｂサーバ８０は、当該ＵＲＬによってアクセスされるＷｅｂページを提供する役割を果たす。
【００４８】
いま、図７の上段に示すように、着用者２０が、上述した頭部装着具３００を装着して、踊りやダンスなどのパフォーマンスを行っているものとしよう。前述したとおり、このようなパフォーマンスを行っている装着者２０は、ＱＲコード（登録商標）からなる顔面を有する奇怪な人間のように見え、非常に強力なインパクトをもった異様な風貌をもつ演技者として認識される。このため、観客の興味を強く誘引することができる。もちろん、ＱＲコード（登録商標）が印刷されたＴシャツやパンツなどの被服類、靴、バッグなどを着用した演技者がパフォーマンスを行っても、観客の興味を引くことができるが、本考案のように、頭部にＱＲコード（登録商標）が描かれた演技者がパフォーマンスを行う場合に比べれば、観客に与えるインパクトの強さは比較にならない。
【００４９】
さて、このような演技者によるパフォーマンスに遭遇した観客の多くは、所持するスマートフォン５００に内蔵されたカメラ５１０（あるいは、デジカメなどのデジタル機器でもよい）を用いて、静止画もしくは動画の撮影を行うことになろう。この撮影行為により、カメラ５１０内には、撮影画像Ｐとして、ＱＲコード（登録商標）の画像が取り込まれることになる。これにより、スマートフォン５００等のデジタル機器に、ＱＲコード（登録商標）によって示されるデジタルデータが伝達されたことになる。
【００５０】
ここに示す実施例の場合、ＱＲコード（登録商標）は、所定のＷｅｂページをアクセスするためのＵＲＬを示すデータである。そこで、スマートフォン５００は、Ｗｅｂブラウザ５２０を用いて、インターネットを経由して、このＵＲＬで示されるＷｅｂサーバ８０にアクセスすることができる（実際には、ＱＲコード（登録商標）の読み取りプログラム、Ｗｅｂブラウザの機能をもつアプリケーションプログラム、インターネットにアクセスするためのハードウエアなどの連携によって、Ｗｅｂサーバ８０へのアクセスが行われる）。このようなアクセスを受けたＷｅｂサーバ８０は、予め格納していた所定のＷｅｂページデータ８１を、Ｗｅｂブラウザ５２０にレスポンスとして返す処理を実行する。これにより、Ｗｅｂページの情報がスマートフォン５００側に送られ、ディスプレイ画面上に表示されることになる。Ｗｅｂページの情報として、着用者２０のパフォーマンスに関連した広告を用意しておけば、観客への広告提示が行われたことになる。
【００５１】
かくして、図７に示すＷｅｂページ提供システムによれば、着用者２０に強烈なインパクトをもった異様な風貌を与えつつ、スマートフォン５００等のデジタル機器に、所望のデジタルデータを伝達することができる。特に、図７に示す例の場合、デジタル機器に、所定のＷｅｂページをアクセスするためのＵＲＬを示すデータを伝達することができるため、当該デジタル機器に、Ｗｅｂページを利用して広告などの付加情報を提示することが可能になる。
【符号の説明】
【００５２】
１０：着用者
２０：着用者
８０：Ｗｅｂサーバ
８１：Ｗｅｂページデータ
１００：頭部装着具（第１の実施例「面型」）
１１０：本体部
１１１：コード形成面
１２０：右側固定具
１３０：左側固定具
２００：頭部装着具（第２の実施例「覆面型」）
２１０：覆面状の構造体
２１１：コード形成面
２２０：覆面開口部
３００：頭部装着具（第３の実施例「箱型」）
３１０：天板
３２０：正面板
３３０：背面板
３４０：右面板
３５０：左面板
３６０：開口下部
５００：スマートフォン
５１０：カメラ
５２０：Ｗｅｂブラウザ
１０００：Ｗｅｂページ提供システム
Ｂ１０：黒領域
Ｂ２０：眼近傍黒領域
Ｂ２１：覗き穴領域（眼近傍黒領域Ｂ２０の一部（部分黒領域））
Ｂ２２：眼近傍黒領域Ｂ２０の一部（部分黒領域）
Ｂ２３：眼近傍黒領域Ｂ２０の一部（部分黒領域）
Ｂ３０：眼近傍黒領域
Ｗ１０：白領域
Ｗ２０：白領域
【図１】
0003224806.tif 000003
【図２】
0003224806.tif 000004
【図３】
0003224806.tif 000005
【図４】
0003224806.tif 000006
【図５】
0003224806.tif 000007
【図６】
0003224806.tif 000008
【図７】
0003224806.tif 000009
【手続補正書】
【提出日】令和1年11月13日(2019.11.13)
【手続補正１】
【補正対象書類名】実用新案登録請求の範囲
【補正対象項目名】全文
【補正方法】変更
【補正の内容】
【実用新案登録請求の範囲】
【請求項１】
着用者の頭部に装着可能な構造体からなり、顔面大のＱＲコード（登録商標）が形成されたコード形成面を有し、
前記コード形成面を有する本体部と、前記本体部を着用者の顔面に固定する固定具と、を備えることを特徴とする頭部装着具。
【請求項２】
請求項１に記載の頭部装着具において、
固定具が、一端が本体部に接続され他端が着用者の右耳に係合する右側固定具と、一端が本体部に接続され他端が着用者の左耳に係合する左側固定具と、を有することを特徴とする頭部装着具。
【請求項３】
着用者の頭部に装着可能な構造体からなり、顔面大のＱＲコード（登録商標）が形成されたコード形成面を有し、
前記構造体が、着用者の頭部全体に被せて装着する、ゴムもしくは繊維材料からなる覆面状の構造体であることを特徴とする頭部装着具。
【請求項４】
着用者の頭部に装着可能な構造体からなり、顔面大のＱＲコード（登録商標）が形成されたコード形成面を有し、
前記構造体が、着用者の頭部全体に被せて装着する箱型構造体であり、前記箱型構造体の外側表面の少なくとも一面は平面をなし、前記平面が前記コード形成面をなすことを特徴とする頭部装着具。
【請求項５】
請求項４に記載の頭部装着具において、
箱型構造体が、天板、前記天板に直交する正面板、前記正面板に対向する背面板、前記天板および前記正面板に直交する右面板、前記右面板に対向する左面板、という５枚の平板状部材を有する立方体もしくは直方体の箱によって構成され、これら５枚の平板状部材の少なくとも１枚の外側表面がコード形成面をなすことを特徴とする頭部装着具。
【請求項６】
請求項５に記載の頭部装着具において、
５枚の平板状部材の外側表面のそれぞれがコード形成面をなしており、合計５組のＱＲコード（登録商標）が配置されていることを特徴とする頭部装着具。
【請求項７】
請求項１〜６のいずれかに記載の頭部装着具において、
コード形成面に、黒領域と白領域とを混在させたＱＲコード（登録商標）が形成されており、
着用者が頭部に装着した状態で前記着用者の眼の近傍に位置する黒領域が眼近傍黒領域となっており、
前記眼近傍黒領域の全領域もしくは一部の領域は、覗き穴領域を形成しており、
前記覗き穴領域には、着用者の視界を確保するための開口部と、この開口部を塞ぐように張られた黒色網状部材と、が設けられていることを特徴とする頭部装着具。
【請求項８】
請求項１〜７のいずれかに記載の頭部装着具において、
コード形成面に形成されたＱＲコード（登録商標）が、所定のＷｅｂページをアクセスするためのＵＲＬを示すコードであることを特徴とする頭部装着具。
【請求項９】
請求項８に記載の頭部装着具と、前記頭部装着具に形成されたＱＲコード（登録商標）が示すＵＲＬによってアクセスされるＷｅｂページを提供するＷｅｂサーバと、を備えることを特徴とするＷｅｂページ提供システム。